(57)【要約】【課題】反射スクリーンに対する投影光の適正位置を容易に調整可能とする反射スクリーンを提供する。【解決手段】スクリーン基板１０の観察面１００ａの法線に対して垂直方向にずれた方向から観察面１００ａに向けて斜めに射出された投影光Ｌｐを、観察側に反射する反射スクリーン１００において、スクリーン基板１０に形成され、投影光Ｌｐを観察側に反射する複数の反射部１２と、スクリーン基板１０の一部に形成され、投影光Ｌｐを射出された側に反射する２つの位置決め反射部２１，２２と、を有し、位置決め反射部２１，２２はスクリーン基板１０の一つの辺の付近で、かつ一つの辺１０ｘに平行な直線上に間隔をあけて少なくとも２箇所設けられている。【選択図】図２
2010266563.tif 000002
【特許請求の範囲】
【請求項１】
スクリーン基板の観察面の法線に対して垂直方向にずれた方向から前記観察面に向けて斜めに射出された投影光を、観察側に反射する反射スクリーンであって、
前記スクリーン基板に形成され前記投影光を観察側に反射する複数の反射部と、
前記スクリーン基板の一部に形成され、前記投影光を射出された側に反射する位置決め用反射部と、を有し、
前記位置決め用反射部は前記スクリーン基板の一つの辺の付近で、かつ前記一つの辺に平行な直線上に間隔をあけて少なくとも２箇所設けられていることを特徴とする反射スクリーン。
【請求項２】
請求項１に記載の反射スクリーンにおいて、
前記位置決め用反射部は前記スクリーン基板の厚み方向に窪んだ凹部を有し、
前記凹部の内壁面の一部に平面からなる位置決め用反射面を備えていることを特徴とする反射スクリーン。
【請求項３】
請求項１に記載の反射スクリーンにおいて、
前記位置決め用反射部は前記スクリーン基板の観察側に突出する凸部を有し、
前記凸部の一部に平面からなる位置決め用反射面を備えていることを特徴とする反射スクリーン。
【請求項４】
請求項１乃至３のいずれか一項に記載の反射スクリーンにおいて、
前記スクリーン基板の前記観察面に対する投影光の入射角よりも、前記スクリーン基板の前記観察面における法線と位置決め用反射面とのなす角が小さいことを特徴とする反射スクリーン。
【請求項５】
請求項１乃至４のいずれか一項に記載の反射スクリーンにおいて、
前記位置決め用反射部の前記位置決め用反射面の非形成領域は、光を吸収する光吸収面であることを特徴とする反射スクリーン。
【発明の詳細な説明】
【技術分野】
【０００１】
本発明は、投影光を入射させて用いる反射スクリーンに関する。
【背景技術】
【０００２】
プロジェクターなどから出射される投影光を受け、その投影光を反射させて拡大画像を映し出す反射スクリーンが知られている。近年、ホームシアター等の用途として反射スクリーンの近くにプロジェクターを設置できる近接型プロジェクターが開発され、近接型プロジェクター用の反射スクリーンも開発されている（例えば特許文献１、２）。
【先行技術文献】
【特許文献】
【０００３】
【特許文献１】特開２００６−２１５１６２号公報
【特許文献２】特開２００９−１５１９５号公報
【発明の概要】
【発明が解決しようとする課題】
【０００４】
このような反射スクリーンに映像を映すときには、映像が傾いて見づらくないように近接型プロジェクターを移動させて、反射スクリーンに映る投影光の位置を適正に調整する必要がある。
しかしながら、反射スクリーンに近い場所で近接型プロジェクターの設置作業を行うため、反射スクリーンに対する投影光の位置がうまく見えない。このため、位置調整の都度、プロジェクターから離れて投影光が映った反射スクリーンを遠くから見るなど、作業が煩雑で時間がかかってしまうという問題がある。
【課題を解決するための手段】
【０００５】
本発明は上記課題の少なくとも一部を解決するためになされたものであり、以下の形態または適用例として実現することが可能である。
【０００６】
［適用例１］本適用例にかかる反射スクリーンは、スクリーン基板の観察面の法線に対して垂直方向にずれた方向から前記観察面に向けて斜めに射出された投影光を、観察側に反射する反射スクリーンであって、前記スクリーン基板に形成され前記投影光を観察側に反射する複数の反射部と、前記スクリーン基板の一部に形成され、前記投影光を射出された側に反射する位置決め用反射部と、を有し、前記位置決め用反射部は前記スクリーン基板の一つの辺の付近で、かつ前記一つの辺に平行な直線上に間隔をあけて少なくとも２箇所設けられていることを特徴とする。
【０００７】
この構成によれば、投影光を射出された側に反射する位置決め用反射部がスクリーン基板の一つの辺の付近で、かつ一つの辺に平行な直線上に間隔をあけて少なくとも２箇所設けられている。
このようなスクリーン基板の観察面に斜めに射出された投影光を反射スクリーンに投影させると、投影光の一部が反射スクリーンの位置決め用反射部により光源の近くに反射される。ここで、光源の位置に近い場所にいる人にはこの反射光を光る点として確認することができる。
そして、投影光を出射するプロジェクターなどの光源を設置するときに、投影光の輪郭の一辺と、反射スクリーンの位置決め用反射部から反射される少なくとも２点の反射光（光る点）とを合わせるように光源位置を調整することで、反射スクリーンに対する投影光の適正位置を得ることができる。
このように、従来のように位置調整の都度、光源から離れて投影光が映った反射スクリーンを遠くから見るなどの作業をすることがなく、投影光の反射光を利用して、反射スクリーンを見ながら容易にかつ短時間に反射スクリーンに対する投影光の適正位置を合わせることができる。
【０００８】
［適用例２］上記適用例にかかる反射スクリーンにおいて、前記位置決め用反射部は前記スクリーン基板の厚み方向に窪んだ凹部を有し、前記凹部の内壁面の一部に平面からなる位置決め用反射面を備えていることが望ましい。
【０００９】
この構成によれば、位置決め用反射部は凹部の内壁面の一部に平面からなる位置決め用反射面を備えている。
このように、凹部内に位置決め用反射面が形成されているため、位置決め用反射面の損傷を防ぐことができる。また、位置決め用反射面が平面であることからスクリーン基板を製作するための型が複雑にならず、製作が容易である。
【００１０】
［適用例３］上記適用例にかかる反射スクリーンにおいて、前記位置決め用反射部は前記スクリーン基板の観察側に突出する凸部を有し、前記凸部の一部に平面からなる位置決め用反射面を備えていることが望ましい。
【００１１】
この構成によれば、位置決め用反射部は凸部の一部に平面からなる位置決め用反射面を備えている。
このように、位置決め用反射面が凸部に形成されているため、投影光を反射させる面積を大きく形成でき、光の反射量が大きくなる。また、位置決め用反射面が平面であることからスクリーン基板を製作するための型が複雑にならず、製作が容易である。
［適用例４］上記適用例にかかる反射スクリーンにおいて、前記スクリーン基板の前記観察面に対する投影光の入射角よりも、前記スクリーン基板の前記観察面における法線と位置決め用反射面とのなす角が小さいことが望ましい。
【００１２】
この構成によれば、スクリーン基板の観察面に対する投影光の入射角よりも、スクリーン基板の観察面における法線と位置決め用反射面とのなす角が小さい。このように位置決め用反射面を形成することで、反射スクリーンに対して反射光が光源位置より遠くに反射され、光源位置を調整する者に反射光が確認しやすくなる。
【００１３】
［適用例５］上記適用例にかかる反射スクリーンにおいて、前記位置決め用反射部の前記位置決め用反射面の非形成領域は、光を吸収する光吸収面であることが望ましい。
【００１４】
この構成によれば、外光などを光吸収面で吸収できコントラストの高い位置決め用の反射光を得ることができる。
【図面の簡単な説明】
【００１５】
【図１】第１の実施形態にかかる反射スクリーンと光源との位置関係を示す断面図。
【図２】第１の実施形態における反射スクリーンの正面図。
【図３】第１の実施形態における反射スクリーンの垂直方向の断面を示す概略断面図。
【図４】第１の実施形態における一方の位置決め反射部の構成を示し、（ａ）は正面図、（ｂ）は同図（ａ）のＢ−Ｂ断線に沿う概略断面図、（ｃ）は同図（ａ）のＣ−Ｃ断線に沿う概略断面図。
【図５】第１の実施形態における他方の位置決め反射部の構成を示し、（ａ）は正面図、（ｂ）は同図（ａ）のＤ−Ｄ断線に沿う概略断面図、（ｃ）は同図（ａ）のＥ−Ｅ断線に沿う概略断面図。
【図６】第１の実施形態の位置決め反射部における、観察面に対して斜めからの投影光の反射状態を示す説明図。
【図７】第１の実施形態の反射スクリーンに対してプロジェクターを設置する際の様子を示す説明図。
【図８】変形例における反射スクリーンの正面図。
【図９】変形例における一方の位置決め反射部の構成を示し、（ａ）は正面図、（ｂ）は同図（ａ）のＦ−Ｆ断線に沿う概略断面図、（ｃ）は同図（ａ）のＧ−Ｇ断線に沿う概略断面図。
【図１０】第２の実施形態における一方の位置決め反射部の構成を示し、（ａ）は正面図、（ｂ）は同図（ａ）のＨ−Ｈ断線に沿う概略断面図、（ｃ）は同図（ａ）のＪ−Ｊ断線に沿う概略断面図。
【図１１】第２の実施形態における位置決め反射部の光の反射状態を示す説明図。
【発明を実施するための形態】
【００１６】
以下、本発明を具体化した実施形態について図面に従って説明する。なお、以下の説明に用いる各図面では、各部材を認識可能な大きさとするため、各部材の寸法の割合を適宜変更している。また、以下の説明においては直交座標系を設定して各部材の位置関係について説明する。鉛直面内における所定方向をＸ軸方向、鉛直面内においてＸ軸方向と直交する方向をＹ軸方向、Ｘ軸方向及びＹ軸方向のそれぞれに直交する方向をＺ軸方向とする。
（第１の実施形態）
【００１７】
図１は本実施形態にかかる反射スクリーンと光源との位置関係を示す断面図である。また、図２は本実施形態における反射スクリーンの正面図である。図３は本実施形態における反射スクリーンの垂直方向の断面を示し、図２のＡ−Ａ断線に沿う概略断面図である。
図１に示すように、反射スクリーン１００は、矩形状の反射スクリーン１００の観察面１００ａの中心点Ｃを通る法線ＮＬに対して垂直方向（Ｙ軸方向）にずれた位置に配置されたプロジェクターなどの光源Ｐから、観察面１００ａに向けて斜めに投射された投影光Ｌｐを、反射スクリーン１００の観察側（Ｚ軸正方向側）に反射するものである。反射スクリーン１００は、法線ＮＬがＺ軸と平行に配置されている。
【００１８】
図２および図３に示すように、反射スクリーン１００はスクリーン基板１０の観察面１００ａ側に半球状の凹部１１が複数備えられている。凹部１１は、スクリーン基板１０の厚み方向（Ｚ方向）に窪み、略同一径の球状面に形成されている。凹部１１の直径としては、例えば２０μｍ〜２００μｍ程度に形成されている。
また、凹部の形状は球状面を有するものであれば、半球状ではなく、半楕円球状、円錐状、扇型、またはこれらの組み合わせであってもよい。
スクリーン基板１０は、例えば、樹脂等の可撓性を有する材料によって形成されている。また、スクリーン基板１０は、例えば、染色等によって全体が黒色の光吸収材によって着色され、可視光を吸収可能に形成されている。
【００１９】
スクリーン基板１０における凹部１１の配置は、光源Ｐからの距離が大きくなるに従って、配置ピッチが大きくなるように配置されている。詳細には、凹部１１は、矩形のスクリーン基板１０の長辺に沿う方向（Ｘ方向）、及び短辺に沿う方向（Ｙ方向）に複数配列されており、Ｘ方向のピッチ及びＹ方向のピッチが光源Ｐからの距離が大きくなるに従って、順次大きくなるように形成されている。つまり、凹部１１は光源Ｐからの距離に応じて密度が疎となる分布で配置されている。
【００２０】
そして、図３に示すように、凹部１１の内壁面には観察面１００ａの斜め方向から投射された投影光が投射される部分に反射部１２が形成されている。反射部１２は凹部１１の内壁面の一部分に形成され、この反射部１２は光源Ｐからの距離が大きくなるに従い、形成面積が小さくなっている。つまり、スクリーン基板１０の上部側（光源Ｐから遠ざかった部分）では、スクリーン基板１０の下方側（光源Ｐに近い部分）に比べて、反射部１２の形成面積は小さい。
この反射部１２は、例えば、アルミニウム（Ａｌ）等の反射性を有する材料によって、スパッタ法または蒸着法により膜厚が１０ｎｍ〜５μｍとなるように成膜されている。
【００２１】
また、凹部１１の内壁面には、光源Ｐからの投影光Ｌｐが照射される範囲外に、光吸収面１５が形成されている。光吸収面１５は、スクリーン基板１０の基材を黒色にすること、または凹部１１の内壁面にブラックカーボン粉末などの光吸収性材料を塗布するなどの方法で得られる。
【００２２】
さらに、図２に示すように、スクリーン基板１０のＸ方向に平行な一辺１０ｘの付近の２箇所に、位置決め反射部２１，２２が形成されている。このスクリーン基板１０のＸ方向に平行な一辺１０ｘは、反射スクリーン１００を設置したときに、上部に位置するスクリーン基板１０の辺である。
位置決め反射部２１，２２はスクリーン基板１０のＸ方向の一辺１０ｘに平行な直線Ｈｘ上に設けられている。さらに、位置決め反射部２１，２２はスクリーン基板１０の角に近い位置に設けられ、それぞれが充分な間隔をあけて配置されている。
【００２３】
このスクリーン基板１０のＸ方向の一辺１０ｘに平行な直線Ｈｘは、プロジェクターなどの光源Ｐからの投影光Ｌｐの輪郭の一辺と合わせたときに、Ｙ方向の投影光Ｌｐの輪郭が反射スクリーンの適正位置に収まるように設定されている。また、投影光Ｌｐの輪郭の角部と位置決め反射部２１，２２とを合わすことで、投影光Ｌｐを反射スクリーン１００の中央部に配置できるように設定されている。なお、この位置決め反射部２１，２２の間隔は長いほうが好ましく、それぞれを繋ぐ直線Ｈｘと投影光Ｌｐの輪郭の一辺とを合わせるのが容易となる。
【００２４】
そして、スクリーン基板１０の観察面１００ａ上には、凹部１１を充填するように保護層１８が形成されている。保護層１８は、例えば、樹脂などの可撓性を有する材料で形成されている。
さらに、保護層１８の上で、スクリーン基板１０の観察面１００ａ側の最表面には、反射防止層１９が形成されている。反射防止層１９は、保護層１８と同様な材料で形成され、保護層１８の表面での投影光または外光などの反射を防止するように保護層１８との間で屈折率が調整されている。
【００２５】
次に、位置決め反射部について詳しく説明する。
図４は一方の位置決め反射部の構成を示し、（ａ）は正面図、（ｂ）は同図（ａ）のＢ−Ｂ断線に沿う概略断面図、（ｃ）は同図（ａ）のＣ−Ｃ断線に沿う概略断面図である。
図５は他方の位置決め反射部の構成を示し、（ａ）は正面図、（ｂ）は同図（ａ）のＤ−Ｄ断線に沿う概略断面図、（ｃ）は同図（ａ）のＥ−Ｅ断線に沿う概略断面図である。
【００２６】
図４に示すように、位置決め反射部２１は、矩形状にスクリーン基板１０の厚み方向に窪んだ凹部に位置決め反射面２１ａと光吸収面２１ｂとを備えている。位置決め反射面２１ａと光吸収面２１ｂとはそれぞれ平面で形成され、凹部の底辺で二つの面の端辺が接するように形成されている。そして、位置決め反射面２１ａは、スクリーン基板１０の観察面１００ａに向けて斜めに投射された投影光が反射可能となるように、スクリーン基板１０に対して設置されるプロジェクターなどの光源の方向に向くように形成されている。
また、位置決め反射面２１ａの表面にはアルミニウム（Ａｌ）等の反射性を有する材料によって、スパッタ法または蒸着法により膜厚が１０ｎｍ〜５μｍとなるように成膜されている。光吸収面２１ｂはブラックカーボン粉末などの光吸収性材料が塗布されている。
【００２７】
同様に、図５に示すように、位置決め反射部２２は、矩形状にスクリーン基板１０の厚み方向に窪んだ凹部に位置決め反射面２２ａと光吸収面２２ｂとを備えている。位置決め反射面２２ａと光吸収面２２ｂとはそれぞれ平面で形成され、凹部の底辺で二つの面の端辺が接するように形成されている。そして、位置決め反射面２２ａは、スクリーン基板１０の観察面１００ａに向けて斜めに投射された投影光が反射可能となるように、スクリーン基板１０に対して設置されるプロジェクターなどの光源の方向に向くように形成されている。
また、位置決め反射面２２ａの表面にはアルミニウム（Ａｌ）等の反射性を有する材料によって、スパッタ法または蒸着法により膜厚が１０ｎｍ〜５μｍとなるように成膜されている。光吸収面２２ｂはブラックカーボン粉末などの光吸収性材料が塗布されている。
なお、位置決め反射部２１，２２の大きさは、例えば一辺が２０μｍ〜２００μｍ程度に形成されている。
【００２８】
このような構成の反射スクリーン１００は、公知の技術を用いて製造される。例えば、ガラス基板などにエッチングにより凹部を形成し、そのガラス基板を型として、２Ｐ転写法を用いてスクリーン基板１０を形成できる。また、エンボス加工を施してスクリーン基板１０を形成してもよい。そして、その後、反射性の材料や光吸収性の材料を選択的に形成して反射スクリーン１００を製造できる。なお、本実施形態にかかる位置決め反射部２１，２２は平面で形成されていることから、型の製作が容易である。
【００２９】
次に、反射スクリーンの作用について前述した図３および図６、図７を用いて説明する。
図６は本実施形態の位置決め反射部における、観察面に対して斜めからの投影光の反射状態を示す説明図である。図７は本実施形態の反射スクリーンに対してプロジェクターを設置する際の様子を示す説明図であり（ａ）は反射スクリーンを側面方向から見た図、（ｂ）は反射スクリーンを正面方向から見た図である。
【００３０】
まず、図３において、映像を映し出す反射スクリーンの作用について説明する。
反射スクリーン１００の観察面１００ａの法線に対して垂直方向（Ｙ軸方向）にずれた位置に配置されたプロジェクターなどの光源Ｐから、観察面１００ａに向けて斜めに投影光Ｌｐが投射される。
このような、観察面１００ａに対して斜めに入射した投影光Ｌｐは、反射防止層１９に入射し、反射防止層１９を透過して保護層１８に入射する。このとき、反射防止層１９は保護層１８との間で屈折率が調整されているので、反射防止層１９を透過した投影光Ｌｐが保護層１８の表面での反射が防止される。
保護層１８に入射した投影光Ｌｐは、保護層１８を透過して凹部１１内に形成された反射部１２に到達する。反射部１２に到達した投影光Ｌｐは、反射部１２によって反射スクリーン１００の観察側（Ｚ方向）に反射光Ｌｒが反射される。
【００３１】
一方、反射スクリーン１００の観察面１００ａには、投影光Ｌｐのほかに反射スクリーン１００の上方から外光Ｌｏが入射する。観察面１００ａに入射した外光Ｌｏは、反射防止層１９に入射して、反射防止層１９を透過して保護層１８に入射する。外光Ｌｏは反射防止層１９が形成されているため、保護層１８の表面で観察側に反射することが防止される。
そして、保護層１８の表面に到達した外光Ｌｏは、保護層１８を透過して凹部１１に入射し、凹部１１の光吸収面１５に到達する。そして、凹部１１の光吸収面１５に到達した外光Ｌｏは光吸収面１５に吸収される。
このように、本実施形態の反射スクリーン１００は、観察面１００ａに対して斜めからの投影光Ｌｐが入射した場合には、コントラストの高い映像を映し出すことができる。
【００３２】
次に、本実施形態の位置決め反射部における投影光の反射状態について説明する。
図６に示すように、観察面１００ａに対して斜めに入射した投影光Ｌｐは、反射防止層１９に入射し、反射防止層１９を透過して保護層１８に入射する。保護層１８に入射した投影光Ｌｐは、保護層１８を透過して位置決め反射部２１（２２）に形成された位置決め反射面２１ａ（２２ａ）に到達する。そして位置決め反射面２１ａ（２２ａ）に到達した投影光Ｌｐは、投影光Ｌｐが出射された方向に反射光Ｌｐｃとして反射される。なお、この反射光Ｌｐｃは光源近くに反射され、通常の映像の鑑賞者には認識されない。
また、図示しないが、反射スクリーン１００の上方から入射した外光は光吸収面２１ｂ（２２ｂ）に吸収される。
【００３３】
ここで、スクリーン基板１０の観察面１００ａに対する投影光Ｌｐの入射角をθ１とし、スクリーン基板１０の観察面１００ａにおける法線と位置決め反射面２１ａ（２２ａ）とのなす角をθ２とすると、θ１＞θ２となる関係にある。本実施形態ではθ１＝６０°、θ２＝５０°に設定されている。
【００３４】
このような反射スクリーン１００に対して、プロジェクターを設置する際の状況について説明する。
図７に示すように、台座１０２に反射スクリーン１００が装備され、プロジェクター１０５を動かすことで、この反射スクリーン１００に映る投影光Ｌｐを適正な位置に調整を行う。
前述のように、スクリーン基板１０の観察面１００ａに斜めに射出された投影光Ｌｐを反射スクリーン１００に投影させると、投影光Ｌｐの一部が反射スクリーン１００の位置決め反射部２１，２２によりプロジェクター１０５の近くに反射される。このとき、投影光Ｌｐの入射角θ１とスクリーン基板１０の観察面１００ａにおける法線と位置決め反射面２１ａ（２２ａ）とのなす角θ２とを、θ１＞θ２なる関係とすることで、反射スクリーン１００に対して反射光Ｌｐｃがプロジェクター１０５より遠くに反射され、プロジェクター１０５の位置を調整する者に確認しやすくなる。この位置に近い場所にいる人にはこの反射光Ｌｐｃを光る点３１，３２として確認することができる。
【００３５】
この光る点３１，３２は、スクリーン基板１０の一辺１０ｘに平行な直線Ｈｘ上に設けられている位置決め反射部２１，２２からの反射光である。
このことから、プロジェクター１０５の投影光Ｌｐの輪郭の一辺と、反射スクリーン１００の位置決め反射部２１，２２から反射される光る点（反射光）３１，３２とを合わせるようにプロジェクター１０５の位置を調整することで、反射スクリーン１００に対して傾きのない投影光Ｌｐの適正位置を得ることができる。
このように、従来のように位置調整の都度、プロジェクター１０５から離れて投影光Ｌｐが映った反射スクリーン１００を遠くから見るなどの作業をすることがなく、投影光Ｌｐの反射光を利用して、反射スクリーン１００を見ながら容易にかつ短時間に反射スクリーン１００に対する投影光Ｌｐの適正位置を合わせることができる。
（変形例）
【００３６】
次に、第１の実施形態における変形例について説明する。本変形例では、位置決め反射部を、スクリーン基板のＸ方向の一辺に平行な直線上に３箇所設けた例である。
図８は本変形例における反射スクリーンの正面図である。なお、以下の説明では第１の実施形態と同様な構成要素については同符号を付し、詳細な説明を省略する。
反射スクリーン１１０は、図１で説明したのと同様に、反射スクリーン１１０の観察面１１０ａの法線に対して垂直方向（Ｙ軸方向）にずれた位置に配置されたプロジェクターなどの光源Ｐから、観察面１１０ａに向けて斜めに投射された投影光Ｌｐを、反射スクリーン１１０の観察側（Ｚ軸正方向側）に反射するものである。
【００３７】
反射スクリーン１１０はスクリーン基板１０の観察面１１０ａ側に半球状の凹部１１が複数備えられている。スクリーン基板１０は、例えば、染色等によって全体が黒色の光吸収材によって着色され、可視光を吸収可能に形成されている。
また、スクリーン基板１０における凹部１１の配置は、光源Ｐからの距離が大きくなるに従って、配置ピッチが大きくなるように配置されている。
そして、凹部１１の内壁面には観察面１１０ａの斜め方向から投射された投影光Ｌｐが投射される部分に反射部１２が形成されている。
【００３８】
さらに、スクリーン基板１０のＸ方向に平行な一辺１０ｘの付近の３箇所に、位置決め反射部２１，２２，２３が形成されている。このスクリーン基板１０のＸ方向に平行な一辺１０ｘは、反射スクリーン１１０を設置したときに、上部に位置するスクリーン基板１０の辺である。
また、位置決め反射部２１，２２はスクリーン基板１０の角に近い位置に設けられ、位置決め反射部２３は位置決め反射部２１，２２を結ぶ線分のほぼ中央部に設けられ、それぞれが間隔をあけて配置されている。
【００３９】
位置決め反射部２１，２２は、図４、図５にて説明したのと同じ構成であり説明を省略する。
続いて、位置決め反射部２３の構成について説明する。
図９は変形例における位置決め反射部の構成を示し、（ａ）は正面図、（ｂ）は同図（ａ）のＦ−Ｆ断線に沿う概略断面図、（ｃ）は同図（ａ）のＧ−Ｇ断線に沿う概略断面図である。
【００４０】
位置決め反射部２３は、矩形状にスクリーン基板１０の厚み方向に窪んだ凹部に位置決め反射面２３ａと光吸収面２３ｂとを備えている。位置決め反射面２３ａと光吸収面２３ｂとはそれぞれ平面で形成され、凹部の底辺で二つの面の端辺が接するように形成されている。そして、位置決め反射面２３ａは、スクリーン基板１０の観察面１１０ａに向けて斜めに投射された投影光が反射可能となるように、スクリーン基板１０に対して設置されるプロジェクターなどの光源の方向に向くように形成されている。
また、位置決め反射面２３ａの表面にはアルミニウム（Ａｌ）等の反射性を有する材料によって、スパッタ法または蒸着法により膜厚が１０ｎｍ〜５μｍとなるように成膜されている。光吸収面２３ｂはブラックカーボン粉末などの光吸収性材料が塗布されている。
さらに、図示しないが、スクリーン基板１０の観察面１１０ａに対する投影光Ｌｐの入射角よりも、スクリーン基板１０の観察面１１０ａにおける法線と位置決め反射面２３ａとのなす角は小さく設定され、位置決め反射部２１，２２と同様である。
【００４１】
本変形例の反射スクリーン１１０では、３箇所の位置決め反射部２１，２２，２３を備えており、プロジェクターの位置を調整する者は、位置決め反射部２１，２２，２３からの反射光を光る３つの点として確認することができる。
このことから、３つの光る点を投影光の輪郭の一辺と合わせることができるので、２つの光る点と合わせる場合より位置を合わせやすく、反射スクリーン１１０を見ながら容易にかつ短時間に反射スクリーン１１０に対する投影光の適正位置を合わせることができる。
（第２の実施形態）
【００４２】
次に、反射スクリーンの第２の実施形態について説明する。
本実施形態では、第１の実施形態とは異なり、位置決め反射部が凸部の一部に形成されている。また、本実施形態では、第１の実施形態と位置決め反射部の構成が異なるのみであり、第１の実施形態の説明で用いた図面を引用しながら、位置決め反射部について説明する。そして、以下の説明では第１の実施形態と同様な構成要素については同符号を付し、詳細な説明を省略する。
【００４３】
図２を引用して、本実施形態の反射スクリーン１２０は、スクリーン基板１０のＸ方向に平行な一辺１０ｘの付近の２箇所に、位置決め反射部２５，２６（図中、位置決め反射部２１に相当するのが位置決め反射部２５であり、位置決め反射部２２に相当するのが位置決め反射部２６）が形成されている。このスクリーン基板１０のＸ方向に平行な一辺１０ｘは、反射スクリーン１２０を設置したときに、上部に位置するスクリーン基板１０の辺である。
位置決め反射部２５，２６はスクリーン基板１０のＸ方向の一辺１０ｘに平行な直線Ｈｘ上に設けられている。また、位置決め反射部２５，２６はスクリーン基板１０の角に近い位置に設けられ、それぞれが充分な間隔をあけて配置されている。
【００４４】
このスクリーン基板１０のＸ方向の一辺１０ｘに平行な直線Ｈｘは、プロジェクターなどの光源Ｐからの投影光Ｌｐの輪郭の一辺と合わせたときに、Ｙ方向の投影光Ｌｐの輪郭が反射スクリーンの適正位置に収まるように設定されている。また、投影光Ｌｐの輪郭の角部と位置決め反射部２５，２６とを合わすことで、投影光Ｌｐを反射スクリーン１２０の中央部に配置できるように設定されている。
【００４５】
図１０は本実施形態における位置決め反射部の構成を示し、（ａ）は正面図、（ｂ）は同図（ａ）のＨ−Ｈ断線に沿う概略断面図、（ｃ）は同図（ａ）のＪ−Ｊ断線に沿う概略断面図である。ここでは、一方の位置決め反射部２５について説明し、それと点対称の関係にある他方の位置決め反射部２６については説明を省略する。
図１０に示すように、位置決め反射部２５は、矩形状にスクリーン基板１０の厚み方向に突出する凸部に位置決め反射面２５ａと光吸収面２５ｂとを備えている。位置決め反射面２５ａと光吸収面２５ｂとはそれぞれ平面で形成され、凸部の先端で二つの面の端辺が接するように形成されている。そして、位置決め反射面２５ａは、スクリーン基板１０の観察面１２０ａに向けて斜めに投射された投影光が反射可能となるように、スクリーン基板１０に対して設置されるプロジェクターなどの光源の方向に向くように形成されている。
また、位置決め反射面２５ａの表面にはアルミニウム（Ａｌ）等の反射性を有する材料によって、スパッタ法または蒸着法により膜厚が１０ｎｍ〜５μｍとなるように成膜されている。光吸収面２５ｂはブラックカーボン粉末などの光吸収性材料が塗布されている。
【００４６】
次に、本実施形態の位置決め反射部における投影光の反射状態について説明する。
図１１に示すように、観察面１２０ａに対して斜めに入射した投影光Ｌｐは、反射防止層１９に入射し、反射防止層１９を透過して保護層１８に入射する。保護層１８に入射した投影光Ｌｐは、保護層１８を透過して位置決め反射部２５に形成された位置決め反射面２５ａに到達する。そして位置決め反射面２５ａに到達した投影光Ｌｐは、投影光Ｌｐが出射された方向に反射光Ｌｐｃとして反射される。なお、この反射光Ｌｐｃは光源近くに反射され、通常の映像の鑑賞者には認識されない。
また、図示しないが、反射スクリーン１２０の上方から入射した外光は光吸収面２５ｂに吸収される。
【００４７】
ここで、スクリーン基板１０の観察面１２０ａに対する投影光Ｌｐの入射角をθ１とし、スクリーン基板１０の観察面１２０ａにおける法線と位置決め反射面２５ａとのなす角をθ２とすると、θ１＞θ２となる関係にある。このような関係とすることで、反射スクリーン１２０に対して反射光Ｌｐｃがプロジェクターより遠くに反射され、プロジェクターの位置を調整する者に確認しやすくなる。本実施形態ではθ１＝６０°、θ２＝５０°に設定されている。
【００４８】
位置決め反射部２５，２６からの反射光Ｌｐｃは、プロジェクター位置に近い場所にいる人には２つの光る点として確認することができる。
このことから、プロジェクターの投影光Ｌｐの輪郭の一辺と、反射スクリーン１２０の位置決め用反射部２５，２６から反射される光る点（反射光）とを合わせるようにプロジェクターの位置を調整することで、反射スクリーン１２０に対して傾きのない投影光Ｌｐの適正位置を得ることができる。
このように、本実施形態の反射スクリーンは、位置決め反射部の形状が異なるが第１の実施形態と同様の効果を得ることができる。
【００４９】
なお、上記の実施形態では位置決め反射部の数は一辺に２箇所および３箇所の例を示して説明したが、さらに多くの位置決め反射部を設けて実施してもよい。
さらに、上記実施形態において、反射スクリーンの観察面に保護層、反射防止膜を設けたが、これらの層を設けなくてもよい。
【符号の説明】
【００５０】
１０…スクリーン基板、１１…凹部、１２…反射部、１５…光吸収面、１８…保護層、１９…反射防止層、２１…位置決め反射部、２１ａ…位置決め反射面、２１ｂ…光吸収面、２２…位置決め反射部、２２ａ…位置決め反射面、２２ｂ…光吸収面、２３…位置決め反射部、２３ａ…位置決め反射面、２３ｂ…光吸収面、２５…位置決め反射部、２５ａ…位置決め反射面、２５ｂ…光吸収面、１００…反射スクリーン、１００ａ…観察面、１０２…台座、１０５…プロジェクター、１１０…反射スクリーン、１１０ａ…観察面、１２０…反射スクリーン、１２０ａ…観察面。
【図１】
2010266563.tif 000003
【図２】
2010266563.tif 000004
【図３】
2010266563.tif 000005
【図４】
2010266563.tif 000006
【図５】
2010266563.tif 000007
【図６】
2010266563.tif 000008
【図７】
2010266563.tif 000009
【図８】
2010266563.tif 000010
【図９】
2010266563.tif 000011
【図１０】
2010266563.tif 000012
【図１１】
2010266563.tif 000013